(57)【要約】【課題】点滴液の残量に応じて点滴液を円滑に停止することが可能な点滴装置を提供する。【解決手段】この点滴装置は、点滴液２を流通させる円筒状の胴部２１と、比重が点滴液２よりも小さく、最大外径が胴部２１の最大内径より小さい略円錐状とされ、当該円錐の頂点側が点滴液流通方向の下流側に向くように胴部２１内に移動可能に配置された浮遊部２２とを有し、胴部２１が、下流側に向かって内径が小さくされた第１傾斜面２５を有し、浮遊部２２が、下流側に向かって外径が小さくされ、浮遊部２２の中心軸Ｙに対する傾斜角が胴部２１の中心軸Ｘに対する第１傾斜面２５の傾斜角と同一に設定された第２傾斜面３０を有する。【選択図】  図２
2004337364.tif 000002
【特許請求の範囲】
【請求項１】
点滴液を流通させる円筒状の胴部と、
比重が前記点滴液よりも小さく、最大外径が前記胴部の最大内径より小さい略円錐状とされ、当該円錐の頂点側が点滴液流通方向の下流側に向くように前記胴部内に移動可能に配置された浮遊部とを有し、
前記胴部が、前記下流側に向かって内径が小さくされた第１傾斜面を有し、
前記浮遊部が、前記下流側に向かって外径が小さくされ、前記浮遊部の中心軸に対する傾斜角が前記胴部の中心軸に対する前記第１傾斜面の傾斜角と同一に設定された第２傾斜面を有する、
ことを特徴とする点滴装置。
【請求項２】
前記浮遊部は、前記下流側の端部に取り付けられたおもりを含むことを特徴とする請求項１に記載の点滴装置。
【請求項３】
前記浮遊部は、点滴液流通方向の上流側の端面から第２傾斜面へ貫通する複数の貫通孔が設けられていることを特徴とする請求項１又は２に記載の点滴装置。
【請求項４】
前記胴部は、前記上流側に向かって内径が小さくされた第３傾斜面を有し、かつ、前記第３傾斜面において、前記浮遊部の最大外径と略等しい直径の同一円周上に複数の突起を有することを特徴とする請求項１〜３いずれか一項に記載の点滴装置。
【請求項５】
点滴液を収納した点滴容器の上方に設けられ、点滴容器内の液量に応じて伸縮可能にされた弾性体と、
前記弾性体の伸縮に応じて電気的に開閉される１対の導体を含む接点部と、
前記接点部が電気的に閉じられた場合に、無線によって特定の通報先に通報を行う通信手段と、
を有する請求項１〜４いずれか一項に記載の点滴装置。
【発明の詳細な説明】
【０００１】
【発明の属する技術分野】
本発明は、点滴装置に関するものである。
【０００２】
【従来の技術】
従来、人体等に点滴液を点滴する際には、クレンメと呼ばれる流量調整器具を用いて点滴液の流量を調整していた。この場合に、点滴液の残量が少なくなった状態をそのまま放置しておくと、点滴液に空気が混入する恐れがある。この点滴液への空気の混入を防止するために、点滴装置の管路上において弁を設け、その弁により点滴液の残量が少なくなった場合に、点滴液の流れを停止する技術が種々提案されている。
【０００３】
このような技術の一例として、球状の浮遊体の弁が収容された円筒状の中継管を設け、点滴液の残量が少なくなり中継管内の液面が下降すると、弁が中継管を塞ぐことにより点滴液の流れを停止するものがある（特許文献１参照。）。
【０００４】
【特許文献１】
特開２００２−３４５９５６号公報
【０００５】
【発明が解決しようとする課題】
しかしながら、上述した従来技術においては以下のような問題が生じていた。すなわち、点滴装置が振動したり傾いた場合に球状の弁が動いてしまい、点滴液の流れを完全に停止することができない場合がある。
【０００６】
そこで、本発明では、点滴液の残量に応じて点滴液を円滑に停止することが可能な点滴装置を提供することを目的とする。
【０００７】
【課題を解決するための手段】
本発明の点滴装置は、点滴液を流通させる円筒状の胴部と、比重が点滴液よりも小さく、最大外径が胴部の最大内径より小さい略円錐状とされ、当該円錐の頂点側が点滴液流通方向の下流側に向くように胴部内に移動可能に配置された浮遊部とを有し、胴部が、下流側に向かって内径が小さくされた第１傾斜面を有し、浮遊部が、下流側に向かって外径が小さくされ、浮遊部の中心軸に対する傾斜角が胴部の中心軸に対する第１傾斜面の傾斜角と同一に設定された第２傾斜面を有することを特徴とする。
【０００８】
本発明の点滴装置によれば、点滴液が胴部の上流側から一定量以上供給される場合には、胴部内における点滴液の液面が上昇し、浮遊部が胴部の上流側に押し上げられることにより、胴部と浮遊部の間に点滴液の流路が確保される。一方、点滴液の上流側からの供給量が一定量以下である場合には、胴部内における点滴液の液面が徐々に下降するのに伴い、浮遊部が胴部の下流側に下がる。ここで、浮遊部の中心軸に対する第２傾斜面の傾斜角が、胴部の中心軸に対する第１傾斜面の傾斜角と同一なので、浮遊部の第２傾斜面は胴部の第１傾斜面に面接触で当接するに至り、点滴液の流路が遮断される。このようにして、面接触による安定した状態で点滴液の流路が遮断されるので、点滴液の残量が減少した場合に点滴液の流通を確実に停止することが可能となる。
【０００９】
また、本発明の点滴装置では、浮遊部が、下流側の端部に取り付けられたおもりを含むことも好ましい。このように、浮遊部が下流側端部におもりを有することにより、胴部内において浮遊部の姿勢を安定して保つことができ、点滴液の流通の停止及び解除を円滑に行うことが可能となる。
【００１０】
また、本発明の点滴装置では、浮遊部に、点滴液流通方向の上流側の端面から第２傾斜面へ貫通する複数の貫通孔が設けられていることも好ましい。この場合、点滴液が、浮遊部に設けられた貫通孔を通じて上流側から下流側に流通するため、より円滑に点滴液を流通させることが可能となる。
【００１１】
また、本発明の点滴装置では、胴部が、上流側に向かって内径が小さくされた第３傾斜面を有し、かつ、第３傾斜面において、浮遊部の最大外径と略等しい直径の同一円周上において複数の突起を有することも好ましい。この場合、胴部内の点滴液の液面が上昇すると、浮遊部の端部が胴部の第３傾斜面に設けられた突起と接触するに至り、胴部の内面と浮遊部の上流側端部との間に間隙ができる。これにより、浮遊部の端部と胴部の第３傾斜面の間に点滴液の流路が形成され、円滑に点滴液を流通させることが可能となる。
【００１２】
また、本発明の点滴装置では、点滴液を収納した点滴容器の上方に設けられ、点滴容器内の液量に応じて伸縮可能にされた弾性体と、弾性体の伸縮に応じて電気的に開閉される１対の導体を含む接点部と、接点部が電気的に閉じられた場合に、無線によって特定の通報先に通報を行う通信手段とを有することも好ましい。この場合、点滴容器内の点滴液が一定量以下になると、点滴容器の上方に設けられた弾性体が縮み、その弾性体の縮みにより１対の導体を含む接点部が電気的に閉じられる。これにより、この導体は通信手段に接続され、通信手段は、特定の通報先に無線により通報を行う。このようにして、点滴液の液量が減少した場合に、遠隔地に容易に通報することが可能となる。
【００１３】
【発明の実施の形態】
本発明の実施形態にかかる点滴装置について図面を参照して説明する。なお、各図において、同一要素には同一符号を付して重複する説明を省略する。
【００１４】
図１は、本発明にかかる点滴装置の一例を示す概略図である。図２は、図１に示された制御弁を部分的に示す斜視図、図４は、図１に示された液量検知通報手段の構成を示す概略図である。
【００１５】
図１に示すように、点滴装置１は、点滴液２を収容した点滴容器４と、点滴容器４から点滴針（図示せず）に対して点滴液２を中継する中継管６と、その中継管６の管路上に設けられたクレンメ８及び制御弁１０とを含んでいる。クレンメ８及び制御弁１０は、点滴容器４側から見て、クレンメ８、制御弁１０の順で配置されている。クレンメ８は、点滴容器４から滴下する点滴液２の液量を調整するためのもので公知のものが用いられる。さらに、点滴容器４は、その上方を、液量検知通報手段１２を介して支持台１４により支持されている。このような構成により、点滴容器４から落下した点滴液２は、中継管６を通じて、クレンメ８内で流量を調整された後、制御弁１０内を通過する。点滴液２は、制御弁１０内を通過した後、再度中継管６を通過後、最終的に、点滴針に供給される。
【００１６】
制御弁１０は、図２に示すように、紙面上側である点滴液流通方向の上流側（以下、単に「上流側」と言う。）から、紙面下側である点滴液流通方向の下流側（以下、単に「下流側」と言う。）に点滴液２を流通させるための円筒状の胴部２１と、胴部２１内に移動可能なように配置された円錐状の浮遊部２２とを含んでいる。
【００１７】
胴部２１は、その上流側の開口部２３において、点滴容器２側に伸びる中継管６に接続され、その下流側の開口部２４において、点滴針（図示せず）に伸びる中継管６に接続されている。この構成により、点滴液２が胴部２１の開口部２３から開口部２４に向けて流通する。
【００１８】
また、胴部２１は、下流側に向かって内径が小さくされた第１傾斜面２５と、上流側に向かって内径が小さくされた第３傾斜面２６を有する。第３傾斜面２６においては、胴部２１の中心軸Ｘ（Ｉ−Ｉ線）に対し同一円周上に３つの突起２７ａ、２７ｂ、２７ｃが設けられている。
【００１９】
浮遊部２２はその円錐の頂点側が下流側に向くように配置され、その上流側端部における最大外径は、胴部２１の最大内径よりも小さくされている。また、その頂点部分には、下流側の端部におもり２８を含む軸部２９が形成されている。浮遊部２２は、全体としての比重が点滴液２よりも小さいため、胴部２１内に蓄積された点滴液２の液面に浮かぶとともに、おもり２８により、浮遊部２２の姿勢を安定して保つことができる。
【００２０】
また、浮遊部２２は、下流側に向かって外径が小さくされた第２傾斜面３０を有しており、この第２傾斜面３０と浮遊部２２の中心軸Ｙ（ＩＩ−ＩＩ線）とがなす傾斜角は、第１傾斜面２５と胴部２１の中心軸Ｘとがなす傾斜角と等しくなるように成形されている。また、浮遊部２２の最大外径である上流側端面の径は、胴部２１の突起２７ａ、２７ｂ、２７ｃを結ぶ円周の径とほぼ等しくなっている。
【００２１】
さらに、浮遊部２２には、その上流側端面から第２傾斜面３０へ貫通した４つの貫通孔３１ａ、３１ｂ、３１ｃ、３１ｄが設けられている。この貫通孔３１ａ、３１ｂ、３１ｃ、３１ｄは隣接する貫通孔が等間隔となるように形成されている。これらの貫通孔３１ａ、３１ｂ、３１ｃ、３１ｄを通じて点滴液２が流通する流路が確保されるため、より円滑に点滴液を流通させるという効果を有する。
【００２２】
このような構成における制御弁１０の動作について説明する。図３（ａ）は、点滴液２の供給が一定量以上である場合の制御弁１０の状態を表す斜視図、図３（ｂ）は、点滴液２の供給が一定量以下である場合の制御弁１０の状態を表す斜視図である。
【００２３】
図２において、点滴液２が一定量以上供給されている場合には、胴部２１の開口部２３から供給される量が胴部２１の開口部２４から排出される量よりも多いので、胴部２１内に蓄積される点滴液２の液面が上昇する。点滴液２の液面の上昇に伴って、浮遊部２２が胴部２１内の上流側に押し上げられ、胴部２１の内面と浮遊部２２の上流側端部との間に点滴液２の流路が確保される。そして、さらなる点滴液２の液面の上昇により、図３（ａ）に示すように、浮遊部２２の上流側端部と胴部２１の突起２７ａ、２７ｂ、２７ｃとが当接するに至り、胴部２１の内面と浮遊部２２の上流側端部との間隙に点滴液２の流路が確保される。これにより、円滑に点滴液２を流通させることが可能となる。
【００２４】
一方、図２において、点滴液２の供給量が一定量以下である場合には、胴部２１の開口部２３から供給される量が胴部２１の開口部２４から排出される量よりも少ないので、胴部２１内に蓄積される点滴液２の液面が下降する。点滴液２の液面の下降に伴い、浮遊部２２が胴部２１内の下流側に下がる。そして、さらなる点滴液２の液面の下降により、図３（ｂ）に示すように、浮遊部２２の第２傾斜面３０と胴部２１の第１傾斜面２５とが当接するに至り、貫通孔３１ａ、３１ｂ、３１ｃ、３１ｄが塞がれる。これにより、胴部２１内における点滴液２の流路が全て遮断されるので、点滴容器４内の点滴液２の液量が減少した場合には、点滴液２の流通を確実に停止することが可能となる。
【００２５】
また、浮遊部２２の下流側端部に設けられたおもり２８により、浮遊部２２の姿勢を安定に保ちながら、点滴液２の液面の高さに応じて、浮遊部２２が上昇あるいは下降するので、点滴液２の流通の停止及びその解除を円滑に行うことができる。
【００２６】
図１に戻って、液量検知通報手段１２は、点滴容器４の上方に設けられ、点滴容器４内の点滴液２の残量を検知して特定の通報先に無線により通報を行う機能を有する。図４に示すように、液量検知通報手段１２は、ボックス４１内に、一対の導電板（導体）４２ａ、４２ｂを含むスイッチ（接点部）４２と、そのスイッチ４２が電気的に閉じた場合に特定の通報先に無線により通報を行う通信部（通信手段）４４と、下方の導電板４２ｂに上端部が固定され、ボックス４１に下端部が固定されたバネ（弾性体）４５とを備えている。
【００２７】
導電板４２ａは、ボックス４１の内部の上面近傍において、上面に平行に固定され、導電板４２ｂは、導電板４２ａの下方に平行となるように設けられるとともに、導電板４２ａに対して上下に移動可能にされている。また、その導電板４２ｂの下面には、軸部４６がその導電板４２ｂに垂直になるように取り付けられている。この軸部４６の下端側には、図１に示すように、点滴容器４が吊り下げられているとともに、液量検知通報手段１２全体が、ボックス４１の上部に設けられたフックにより、支持台１４に吊り下げられている。図４に戻って、導電板４２ｂは、点滴容器４内の点滴液２の液量に応じてバネ４５が伸縮することによって、ボックス４１内を上下に移動する。このバネ４５の伸縮に応じて、導電板４２ｂが導電板４２ａに接触したり離れたりすることによって、スイッチ４２が電気的に開閉される。この点滴液２の液量とスイッチ４２の開閉状態との関係は、バネ４５の弾性定数が適切なものを選択することにより適宜変更することが可能である。
【００２８】
また、スイッチ４２を構成する導電板４２ａ、４２ｂは、それぞれ導電線４７ａ、４７ｂを通じて通信部４４に電気的に接続されている。通信部４４は、ＰＨＳ（Ｐｅｒｓｏｎａｌ  Ｈａｎｄｙｐｈｏｎｅ  Ｓｙｓｔｅｍ）を内蔵し、  スイッチ４２が電気的に閉じられた状態を検知すると、予め登録された電話番号に自動発信を行う。これにより、点滴容器４内の点滴液２の残量が一定量以下になると、特定の電話番号を有する遠隔地の通信端末等（例えば、監視用端末）に通報することができる。
【００２９】
本実施形態に係る点滴装置１においては、胴部２１の上部に突起２７ａ、２７ｂ，２７ｃを有していたが、この突起の数は、適宜変更しても良い。
【００３０】
また、本実施形態に係る点滴装置１においては、浮遊部２２に４つの貫通孔３１ａ、３１ｂ、３１ｃ、３１ｄが設けられていたが、この貫通孔の数は、適宜変更しても良い。
【００３１】
また、本実施形態に係る点滴装置１においては、液量検知通報手段１２に含まれる弾性体としてバネ４５を使用していたが、これは、同一の機能を有するものであればこれに限られるものではない。
【００３２】
また、本実施形態に係る点滴装置１においては、液量検知通報手段１２に含まれる通信部４４としてＰＨＳを使用していたが、これは、同一の機能を有するものであればこれに限られるものではなく、携帯電話、無線ＬＡＮ通信機器やその他の無線通信機器を用いても良い。
【００３３】
【発明の効果】
本発明の点滴装置によれば、点滴液が胴部の上流側から一定量以上供給される場合には、胴部内における点滴液の液面が上昇し、浮遊部が胴部の上流側に押し上げられることにより、胴部と浮遊部の間に点滴液の流路が確保される。一方、点滴液の上流側からの供給量が一定量以下である場合には、胴部内における点滴液の液面が徐々に下降するのに伴い、浮遊部が胴部の下流側に下がり、浮遊部の第２傾斜面が胴部の第１傾斜面に当接される結果、点滴液の流路が遮断される。これにより、面接触による安定した状態で点滴液の流路が遮断されるので、点滴液の残量が減少した場合に点滴液の流通を確実に停止することが可能となる。その結果、点滴液の残量に応じて点滴液を円滑に停止することができる。
【図面の簡単な説明】
【図１】本発明にかかる点滴装置の一例を示す概略図である。
【図２】図１に示された制御弁を部分的に示す斜視図である。
【図３】（ａ）は点滴液の供給が一定量以上である場合の制御弁の状態を表す斜視図、
（ｂ）は点滴液の供給が一定量以下である場合の制御弁の状態を表す斜視図である。
【図４】図１に示された液量検知通報手段の構成を示す概略図である。
【符号の説明】
２…点滴液、２１…胴部、２２…浮遊部、２５…第１傾斜面、３０…第２傾斜面、Ｘ…胴部の中心軸、Ｙ…浮遊部の中心軸。
【図１】
2004337364.tif 000003
【図２】
2004337364.tif 000004
【図３】
2004337364.tif 000005
【図４】
2004337364.tif 000006